【手続補正書】
【提出日】平成16年2月19日(2004.2.19)
【手続補正１】
【補正対象書類名】明細書
【補正対象項目名】特許請求の範囲
【補正方法】変更
【補正の内容】
【特許請求の範囲】
【請求項１】
絶縁性の液体中に、この液体中において所定の極性に帯電するトナー粒子を分散してなる記録液が収容された主タンクと、
記録液に受像体または、あるいは対向電極との間に電界を形成する記録電極を有する記録ヘッドと、
記録電極に所定の記録電圧を選択的に与えて記録液中のトナー粒子を分離吐出させ、受像体に転写させる手段と、
前記主タンクから新しい記録液が供給され、かつ、前記記録ヘッドから使用済みの記録液が導入される第１のサブタンクと、
この第１のサブタンクから記録液が供給され、さらに記録液を前記記録ヘッドに供給する第２のサブタンクと、
前記第１のサブタンクから劣化した記録液を回収する回収タンクと、
を具備することを特徴とするインクジェット記録装置。
【請求項２】
絶縁性の液体中に、この液体中において所定の極性に帯電するトナー粒子を分散してなる記録液が収容された主タンクと、
記録液に受像体または、あるいは対向電極との間に電界を形成する記録電極を有する記録ヘッドと、
記録電極に所定の記録電圧を選択的に与えて記録液中のトナー粒子を分離吐出させ、受像体に転写させる手段と、
前記主タンクから新しい記録液が供給され、かつ、前記記録ヘッドから使用済みの記録液が導入される第１のサブタンクと、
この第１のサブタンクから記録液が供給され、さらに記録液を前記記録ヘッドに供給する第２のサブタンクと、
前記第１のサブタンクから劣化した記録液を回収し、かつ、回収した記録液を前記主タンクに供給する回収タンクと、
を具備することを特徴とするインクジェット記録装置。
【請求項３】
絶縁性の液体中に、この液体中において所定の極性に帯電するトナー粒子を分散してなる記録液が収容された主タンクと、
記録液に受像体または、あるいは対向電極との間に電界を形成する記録電極を有する記録ヘッドと、
記録電極に所定の記録電圧を選択的に与えて記録液中のトナー粒子を分離吐出させ、受像体に転写させる手段と、
前記主タンクから新しい記録液がそれぞれ供給され、かつ、前記記録ヘッドから使用済みの記録液がそれぞれ導入される複数の第１のサブタンクと、
この第１のサブタンクから記録液がそれぞれ供給され、さらに記録液を前記記録ヘッドにそれぞれ供給する複数の第２のサブタンクと、
前記複数の第１のサブタンクから劣化した記録液をそれぞれ回収する回収タンクと、を具備し、
記複数の第１及び第２のサブタンクは上記記録ヘッドとの間にそれぞれが個別に記録液の循環回路を形成し、それらのうち少なくとも２つの循環回路は並列に稼働できることを特徴とするインクジェット記録装置。
【請求項４】
絶縁性の液体中に、この液体中において所定の極性に帯電するトナー粒子を分散してなる記録液が収容された主タンクと、
記録液に受像体または、あるいは対向電極との間に電界を形成する記録電極を有する記録ヘッドと、
記録電極に所定の記録電圧を選択的に与えて記録液中のトナー粒子を分離吐出させ、受像体に転写させる手段と、
前記主タンクから新しい記録液がそれぞれ供給され、かつ、前記記録ヘッドから使用済みの記録液がそれぞれ導入される複数の第１のサブタンクと、
この第１のサブタンクから記録液がそれぞれ供給され、さらに記録液を前記記録ヘッドにそれぞれ供給する複数の第２のサブタンクと、
前記複数の第１のサブタンクから劣化した記録液をそれぞれ回収し、かつ、回収した記録液を前記主タンクに供給する回収タンクと、を具備し、
上記複数の第１及び第２のサブタンクは上記記録ヘッドとの間にそれぞれが個別に記録液の循環回路を形成し、それらのうち少なくとも２つの循環回路は並列に稼働できることを特徴とするインクジェット記録装置。
【請求項５】
さらに、前記第１のサブタンク内の記録液を撹拌する撹拌手段を有することを特徴とする請求項１，２，３，４のうちのいずれか１項に記載のインクジェット記録装置。
【請求項６】
さらに、前記第１のサブタンク内の記録液の濃度又は電気抵抗値を検出する手段と、この検出濃度又は検出電気抵抗値に基づき第１のサブタンク内の記録液を前記回収タンクに回収させ、前記主タンクから新しい記録液を前記第１のサブタンク内に供給させる手段と、を具備することを特徴とする請求項１，２，３，４のうちのいずれか１項に記載のインクジェット記録装置。
【請求項７】
前記第１のサブタンクと前記第２のサブタンクとの間に小循環回路が形成され、この小循環回路を介して前記第２のサブタンクに供給された記録液の少なくとも一部が前記第１のサブタンクに戻されることを特徴とする請求項３又は４のいずれか１項に記載のインクジェット記録装置。
【請求項８】
さらに、前記回収タンク内に調整用の記録液を供給する調整タンクを具備することを特徴とする請求項２又は４のいずれか１項に記載のインクジェット記録装置。
【手続補正２】
【補正対象書類名】明細書
【補正対象項目名】００１４
【補正方法】変更
【補正の内容】
【００１４】
上記課題を解決するために本発明のインクジェット記録装置は、
（１）絶縁性の液体中に、この液体中において所定の極性に帯電するトナー粒子を分散してなる記録液が収容された主タンクと、
記録液に受像体または、あるいは対向電極との間に電界を形成する記録電極を有する記録ヘッドと、
記録電極に所定の記録電圧を選択的に与えて記録液中のトナー粒子を分離吐出させ、受像体に転写させる手段と、
前記主タンクから新しい記録液が供給され、かつ、前記記録ヘッドから使用済みの記録液が導入される第１のサブタンクと、
この第１のサブタンクから記録液が供給され、さらに記録液を前記記録ヘッドに供給する第２のサブタンクと、
前記第１のサブタンクから劣化した記録液を回収する回収タンクと、
を具備することを特徴とする。


【手続補正３】
【補正対象書類名】明細書
【補正対象項目名】００１５
【補正方法】変更
【補正の内容】
【００１５】
（２）絶縁性の液体中に、この液体中において所定の極性に帯電するトナー粒子を分散してなる記録液が収容された主タンクと、
記録液に受像体または、あるいは対向電極との間に電界を形成する記録電極を有する記録ヘッドと、
記録電極に所定の記録電圧を選択的に与えて記録液中のトナー粒子を分離吐出させ、受像体に転写させる手段と、
前記主タンクから新しい記録液が供給され、かつ、前記記録ヘッドから使用済みの記録液が導入される第１のサブタンクと、
この第１のサブタンクから記録液が供給され、さらに記録液を前記記録ヘッドに供給する第２のサブタンクと、
前記第１のサブタンクから劣化した記録液を回収し、かつ、回収した記録液を前記主タンクに供給する回収タンクと、
を具備することを特徴とする。


【手続補正４】
【補正対象書類名】明細書
【補正対象項目名】００１６
【補正方法】変更
【補正の内容】
【００１６】
（３）絶縁性の液体中に、この液体中において所定の極性に帯電するトナー粒子を分散してなる記録液が収容された主タンクと、
記録液に受像体または、あるいは対向電極との間に電界を形成する記録電極を有する記録ヘッドと、
記録電極に所定の記録電圧を選択的に与えて記録液中のトナー粒子を分離吐出させ、受像体に転写させる手段と、
前記主タンクから新しい記録液がそれぞれ供給され、かつ、前記記録ヘッドから使用済みの記録液がそれぞれ導入される複数の第１のサブタンクと、
この第１のサブタンクから記録液がそれぞれ供給され、さらに記録液を前記記録ヘッドにそれぞれ供給する複数の第２のサブタンクと、
前記複数の第１のサブタンクから劣化した記録液をそれぞれ回収する回収タンクと、を具備し、
上記複数の第１及び第２のサブタンクは上記記録ヘッドとの間にそれぞれが個別に記録液の循環回路を形成し、それらのうち少なくとも２つの循環回路は並列に稼働できることを特徴とする。


【手続補正５】
【補正対象書類名】明細書
【補正対象項目名】００１７
【補正方法】変更
【補正の内容】
【００１７】
（４）絶縁性の液体中に、この液体中において所定の極性に帯電するトナー粒子を分散してなる記録液が収容された主タンクと、
記録液に受像体または、あるいは対向電極との間に電界を形成する記録電極を有する記録ヘッドと、
記録電極に所定の記録電圧を選択的に与えて記録液中のトナー粒子を分離吐出させ、受像体に転写させる手段と、
前記主タンクから新しい記録液がそれぞれ供給され、かつ、前記記録ヘッドから使用済みの記録液がそれぞれ導入される複数の第１のサブタンクと、
この第１のサブタンクから記録液がそれぞれ供給され、さらに記録液を前記記録ヘッドにそれぞれ供給する複数の第２のサブタンクと、
前記複数の第１のサブタンクから劣化した記録液をそれぞれ回収し、かつ、回収した記録液を前記主タンクに供給する回収タンクと、を具備し、
上記複数の第１及び第２のサブタンクは上記記録ヘッドとの間にそれぞれが個別に記録液の循環回路を形成し、それらのうち少なくとも２つの循環回路は並列に稼働できることを特徴とする。